【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
開口数ＮＡの対物レンズを介して照射される波長λのレーザ光により再生される情報記録担体であって、
グルーブとランドとが交互に形成された微細パターンを有する支持体を有し、
前記グルーブ又は前記ランドのピッチをＰとするとき、
前記微細パターンは、Ｐ＜λ／ＮＡの関係を有すると共に、蛇行した領域を少なくとも有し、
前記蛇行した領域には、データが周波数変移変調によって蛇行記録されていることを特徴とする情報記録担体。
【請求項２】
開口数ＮＡの対物レンズを介して照射される波長λのレーザ光により再生される情報記録担体であって、
グルーブとランドとが交互に形成された微細パターンを有する支持体と、
前記微細パターン上に形成された記録層と、
前記記録層上に形成された０．０７〜０．１２ｍｍ厚の透光層とから少なくともなり、
前記グルーブ又は前記ランドのピッチをＰとするとき、
前記微細パターンは、Ｐ＜λ／ＮＡの関係を有すると共に、蛇行した領域を少なくとも有し、
前記蛇行した領域には、データが周波数変移変調によって蛇行記録されていることを特徴とする情報記録担体。
【請求項３】
前記蛇行した領域が、周波数変移変調により蛇行記録されている領域と、単一周波数により蛇行記録されている領域と、から構成されていることを特徴とする請求項１又は請求項２記載の情報記録担体。
【請求項４】
前記周波数変移変調を用いたデジタル記録は、１〜１００波の一定周波数を１チャネルビットとし、チャネルビット毎に周波数を切り替える周波数変移変調であることを特徴とする請求項１乃至請求項３のいずれか１に記載の情報記録担体。
【請求項５】
前記周波数変移変調を構成する高周波数部分と低周波数部分との位相関係が、±（π／２０．５）〜±（π／０．７５）にあることを特徴とする請求項４記載の情報記録担体。
【請求項６】
前記周波数変移変調を構成する高周波数部分と低周波数部分との境界では、前記高周波数部分の位相と前記低周波数部分の位相とが連続していることを特徴とする請求項４記載の情報記録担体。
【請求項７】
前記周波数変移変調を構成する前記高周波数部分と前記低周波数部分との位相関係が、±(π／２．５)であり、かつ高周波数部分と低周波数部分との境界では、前記高周波数部分の位相と前記低周波数部分の位相とが連続していることを特徴とする請求項５記載の情報記録担体。
【請求項８】
請求項１乃至請求項７のいずれか１記載の情報記録担体に記録されている情報を再生する情報記録担体の再生方法であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射するステップと、
収束した前記レーザ光による前記情報記録担体側からの反射光に基いてプッシュプル信号を生成するステップと、
生成した前記プッシュプル信号から周波数変移変調された再生データを読み取るステップとを有することを特徴とする情報記録担体の再生方法。
【請求項９】
請求項１乃至請求項７のいずれか１記載の情報記録担体に記録されている情報を再生する情報記録担体の再生方法であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射するステップと、
前記レーザ光が前記情報記録担体の表面で反射した反射光に基づいて前記蛇行溝領域を有したトラック側からの出力と前記直線溝領域を有したトラック側からの出力とをそれぞれ求めるステップと、
求めた各前記出力のそれぞれの変動量に基いて、前記蛇行溝領域を有したトラックの前記レーザ光に対する相対位置を判定してこの判定結果を出力するステップとを有することを特徴とする情報記録担体の再生方法。
【請求項１０】
請求項１乃至請求項７のいずれか１記載の情報記録担体に記録されている情報を再生する情報記録担体の再生方法であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射するステップと、
収束した前記レーザ光による前記情報記録担体側からの反射光に基いてプッシュプル信号を生成するステップと、
生成した前記プッシュプル信号から周波数変移変調された再生データを読み取るステップと、
前記反射光に基づいて前記蛇行溝領域を有したトラック側からの出力と前記直線溝領域を有したトラック側からの出力とをそれぞれ求めるステップと、
求めた各前記出力のそれぞれの変動量に基いて、前記蛇行溝領域を有したトラックの前記レーザ光に対する相対位置を判定してこの判定結果を出力するステップと、
前記読み取られた前記データと前記判定結果とを合成することによって再生すべきデータを生成するステップとを有することを特徴とする情報記録担体の再生方法。
【請求項１１】
請求項１乃至請求項７のいずれか１記載の情報記録担体に記録されている情報を再生する情報記録担体の再生装置であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射する手段と、
収束した前記レーザ光による前記情報記録担体側からの反射光に基いてプッシュプル信号を生成する手段と、
生成した前記プッシュプル信号から周波数変移変調された再生データを読み取る手段とを有することを特徴とする情報記録担体の再生装置。
【請求項１２】
請求項１乃至請求項７いずれか１記載の情報記録担体に記録されている情報を再生する情報記録担体の再生装置であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射する手段と、
前記レーザ光が前記情報記録担体の表面で反射した反射光に基づいて前記蛇行溝領域を有したトラック側からの出力と前記直線溝領域を有したトラック側からの出力とをそれぞれ求める手段と、
求めた各前記出力のそれぞれの変動量に基いて、前記蛇行溝領域を有したトラックの前記レーザ光に対する相対位置を判定してこの判定結果を出力する手段とを有することを特徴とする情報記録担体の再生装置。
【請求項１３】
請求項１乃至請求項７のいずれか１記載の情報記録担体に記録されている情報を再生する情報記録担体の再生装置であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射する手段と、
収束した前記レーザ光による前記情報記録担体側からの反射光に基いてプッシュプル信号を生成する手段と、
生成した前記プッシュプル信号から周波数変移変調された再生データを読み取る手段と、
前記反射光に基づいて前記蛇行溝領域を有したトラック側からの出力と前記直線溝領域を有したトラック側からの出力とをそれぞれ求める手段と、
求めた各前記出力のそれぞれの変動量に基いて、前記蛇行溝領域を有したトラックの前記レーザ光に対する相対位置を判定してこの判定結果を出力する手段と、
前記読み取られた前記データと前記判定結果とを合成することによって再生すべきデータを生成する手段とを有することを特徴とする情報記録担体の再生装置。
【手続補正２】
【補正対象書類名】明細書
【補正対象項目名】００１６
【補正方法】変更
【補正の内容】
【００１６】
【課題を解決するための手段】
本発明は上述した課題を解決するために、下記の構成を有する情報記録担体及び情報記録担体の再生方法及び情報記録担体の再生装置を提供する。
（１）  開口数ＮＡの対物レンズを介して照射される波長λのレーザ光により再生される情報記録担体であって、
グルーブとランドとが交互に形成された微細パターンを有する支持体を有し、
前記グルーブ又は前記ランドのピッチをＰとするとき、
前記微細パターンは、Ｐ＜λ／ＮＡの関係を有すると共に、蛇行した領域を少なくとも有し、
前記蛇行した領域には、データが周波数変移変調によって蛇行記録されていることを特徴とする情報記録担体。
（２）  開口数ＮＡの対物レンズを介して照射される波長λのレーザ光により再生される情報記録担体であって、
グルーブとランドとが交互に形成された微細パターンを有する支持体と、
前記微細パターン上に形成された記録層と、
前記記録層上に形成された０．０７〜０．１２ｍｍ厚の透光層とから少なくともなり、
前記グルーブ又は前記ランドのピッチをＰとするとき、
前記微細パターンは、Ｐ＜λ／ＮＡの関係を有すると共に、蛇行した領域を少なくとも有し、
前記蛇行した領域には、データが周波数変移変調によって蛇行記録されていることを特徴とする情報記録担体。
（３）  前記蛇行した領域が、周波数変移変調により蛇行記録されている領域と、単一周波数により蛇行記録されている領域と、から構成されていることを特徴とする上記（１）又は（２）記載の情報記録担体。
（４）  前記周波数変移変調を用いたデジタル記録は、１〜１００波の一定周波数を１チャネルビットとし、チャネルビット毎に周波数を切り替える周波数変移変調であることを特徴とする上記（１）乃至（３）のいずれか１に記載の情報記録担体。
（５）  前記周波数変移変調を構成する高周波数部分と低周波数部分との位相関係が、±（π／２０．５）〜±（π／０．７５）にあることを特徴とする上記（４）記載の情報記録担体。
（６）  前記周波数変移変調を構成する高周波数部分と低周波数部分との境界では、前記高周波数部分の位相と前記低周波数部分の位相とが連続していることを特徴とする上記（４）記載の情報記録担体。
（７）  前記周波数変移変調を構成する前記高周波数部分と前記低周波数部分との位相関係が、±(π／２．５)であり、かつ高周波数部分と低周波数部分との境界では、前記高周波数部分の位相と前記低周波数部分の位相とが連続していることを特徴とする上記（５）記載の情報記録担体。
（８）  上記（１）乃至（７）のいずれか１記載の情報記録担体に記録されている情報を再生する情報記録担体の再生方法であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射するステップと、
収束した前記レーザ光による前記情報記録担体側からの反射光に基いてプッシュプル信号を生成するステップと、
生成した前記プッシュプル信号から周波数変移変調された再生データを読み取るステップとを有することを特徴とする情報記録担体の再生方法。
（９）  上記（１）乃至（７）のいずれか１記載の情報記録担体に記録されている情報を再生する情報記録担体の再生方法であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射するステップと、
前記レーザ光が前記情報記録担体の表面で反射した反射光に基づいて前記蛇行溝領域を有したトラック側からの出力と前記直線溝領域を有したトラック側からの出力とをそれぞれ求めるステップと、
求めた各前記出力のそれぞれの変動量に基いて、前記蛇行溝領域を有したトラックの前記レーザ光に対する相対位置を判定してこの判定結果を出力するステップとを有することを特徴とする情報記録担体の再生方法。
（１０）  上記（１）乃至（７）のいずれか１記載の情報記録担体に記録されている情報を再生する情報記録担体の再生方法であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射するステップと、
収束した前記レーザ光による前記情報記録担体側からの反射光に基いてプッシュプル信号を生成するステップと、
生成した前記プッシュプル信号から周波数変移変調された再生データを読み取るステップと、
前記反射光に基づいて前記蛇行溝領域を有したトラック側からの出力と前記直線溝領域を有したトラック側からの出力とをそれぞれ求めるステップと、
求めた各前記出力のそれぞれの変動量に基いて、前記蛇行溝領域を有したトラックの前記レーザ光に対する相対位置を判定してこの判定結果を出力するステップと、
前記読み取られた前記データと前記判定結果とを合成することによって再生すべきデータを生成するステップとを有することを特徴とする情報記録担体の再生方法。
（１１）  上記（１）乃至（７）のいずれか１記載の情報記録担体に記録されている情報を再生する情報記録担体の再生装置であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射する手段と、
収束した前記レーザ光による前記情報記録担体側からの反射光に基いてプッシュプル信号を生成する手段と、
生成した前記プッシュプル信号から周波数変移変調された再生データを読み取る手段とを有することを特徴とする情報記録担体の再生装置。
（１２）  上記（１）乃至（７）いずれか１記載の情報記録担体に記録されている情報を再生する情報記録担体の再生装置であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射する手段と、
前記レーザ光が前記情報記録担体の表面で反射した反射光に基づいて前記蛇行溝領域を有したトラック側からの出力と前記直線溝領域を有したトラック側からの出力とをそれぞれ求める手段と、
求めた各前記出力のそれぞれの変動量に基いて、前記蛇行溝領域を有したトラックの前記レーザ光に対する相対位置を判定してこの判定結果を出力する手段とを有することを特徴とする情報記録担体の再生装置。
（１３）  上記（１）乃至（７）のいずれか１記載の情報記録担体に記録されている情報を再生する情報記録担体の再生装置であって、
前記情報記録担体における蛇行溝領域を有したトラックと直線溝領域を有したトラックとの間にレーザ光を収束して、前記蛇行溝領域を有したトラックと前記直線溝領域を有したトラックとに前記レーザ光をそれぞれ同時に照射する手段と、
収束した前記レーザ光による前記情報記録担体側からの反射光に基いてプッシュプル信号を生成する手段と、
生成した前記プッシュプル信号から周波数変移変調された再生データを読み取る手段と、
前記反射光に基づいて前記蛇行溝領域を有したトラック側からの出力と前記直線溝領域を有したトラック側からの出力とをそれぞれ求める手段と、
求めた各前記出力のそれぞれの変動量に基いて、前記蛇行溝領域を有したトラックの前記レーザ光に対する相対位置を判定してこの判定結果を出力する手段と、
前記読み取られた前記データと前記判定結果とを合成することによって再生すべきデータを生成する手段とを有することを特徴とする情報記録担体の再生装置。